(57)【要約】【課題】少ない消費電力量で多量の水を凝縮させること。【解決手段】包装体内の蓄冷剤はペルチェ素子のオン状態でペルチェ素子の吸熱面から放熱面を通して熱が放出されることで固相となるものであり、通風路内を通過する空気が包装体に接触した場合に空気中の水分を凝縮させる。この包装体内の蓄冷剤はペルチェ素子がオン状態からオフ状態に切換えられた後から相転移する前までの蓄冷期間内に固相に維持されるものであり、蓄冷期間内には通風路内を通過する空気が包装体に接触した場合に空気中の水分を凝縮させる。【選択図】図３
2012202615.tif 000002
【特許請求の範囲】
【請求項１】
空気が通過可能な通風路を有する通風ケースと、
前記通風ケースに設けられ、冷気を蓄えることが可能な媒体が収納されたものであって前記通風路内を空気が通過する場合に当該空気が接触する包装体と、
前記通風ケースに設けられ、前記包装体内の媒体を冷却する冷却部材を備え、
前記包装体内の媒体は、前記通風路内を通過する空気が前記包装体に接触した場合に当該空気を冷却することで当該空気中の水分を凝縮させるものであることを特徴とする家電機器。
【請求項２】
前記冷却部材は、熱を吸収する吸熱面および熱を放出する放熱面を有するペルチェ素子からなることを特徴とする請求項１に記載の家電機器。
【請求項３】
前記包袋体は、前記ペルチェ素子の吸熱面の側に位置する面であって前記ペルチェ素子の吸熱面に比べて面積が小さな面を有していることを特徴とする請求項１・２のいずれかに記載の家電機器。
【請求項４】
前記包装体内には、前記媒体として相転移するための潜熱を利用して温度を維持する蓄冷剤が収納されていることを特徴とする請求項１・２のいずれかに記載の家電機器。
【請求項５】
前記通風ケースには、前記通風ケースの外部から前記包袋体に熱が伝わることを抑える断熱材が設けられていることを特徴とする請求項１・２・３・４のいずれかに記載の家電機器。
【請求項６】
前記包装体で凝縮した水を貯留する貯水部材を備えたことを特徴とする請求項１・２・３・４・５のいずれかに記載の家電機器。
【請求項７】
空気が通過可能な通風路を有する通風ケースと、
前記通風ケースに設けられ、蓄冷剤が収納されたものであって前記通風路内を空気が通過する場合に当該空気が接触する包装体と、
前記通風ケースに設けられ、熱を吸収する吸熱面および熱を放出する放熱面を有するものであって電気的なオン状態およびオフ状態相互間で切換えられるペルチェ素子を備え、
前記包装体内の蓄冷剤は、
前記ペルチェ素子のオン状態では前記ペルチェ素子の吸熱面から放熱面を通して熱が放出されることで前記通風路内を通過する空気が前記包装体に接触した場合に当該空気中の水分を凝縮させることが可能な温度の相となり、
前記ペルチェ素子がオン状態からオフ状態に切換えられた後から相転移する前までの蓄冷期間内には前記通風路内を通過する空気が接触した場合に当該空気中の水分を凝縮させることが可能なものであることを特徴とする家電機器。
【請求項８】
集塵用のフィルタが収納された掃除機ケースと、
前記掃除機ケース内に設けられた送風機と、
前記送風機が運転されている場合に空気を次の１）第１の経路および２）第２の経路を含む複数のいずれの経路で流すかを選択する経路選択機構と、
１）前記掃除機ケース外の空気を前記掃除機ケース内を通して前記掃除機ケース外に排出する第１の経路
２）前記掃除機ケース内の空気を前記掃除機ケース内で循環させる第２の経路
前記掃除機ケースに設けられ、空気が前記第２の経路で流れている場合に当該空気が通過可能な通風路を有する通風ケースと、
前記通風ケースに設けられ、冷気を蓄えることが可能な媒体が収納されたものであって前記通風路内を空気が通過する場合に当該空気が接触する包装体と、
前記通風ケースに設けられ、前記包装体内の媒体を冷却する冷却部材と、
前記掃除機ケースに設けられ、水を貯留する貯水部材と、
前記掃除機ケースに設けられ、前記貯水部材から水が供給されるものであって当該水を霧化することで空気が前記第２の経路で流れている場合の空気の流れにミストを放出する霧化装置を備え、
前記包装体内の媒体は、前記通風路内を通過する空気が前記包装体に接触した場合に当該空気を冷却することで当該空気中の水分を凝縮させるものであり、
前記貯水部材は、前記包装体で凝縮した水を貯留するものであることを特徴とする電気掃除機。
【請求項９】
衣類が投入される槽と、
前記槽が収納された外箱と、
前記外箱内に前記槽の外部に位置して設けられ、入口および出口を有するものであって当該入口および当該出口のそれぞれが前記槽に接続された循環通路と、
前記循環通路内に設けられ、前記槽内の空気を前記循環通路の入口から前記循環通路内に吸引すると共に前記循環通路内に吸引した空気を前記循環通路の出口を通して前記槽内に放出するファン装置と、
前記循環通路内に設けられ、前記循環通路内を流れる空気を冷却する冷却器と、
前記循環通路内に設けられ、前記冷却器が冷却した空気を加熱することで前記槽内の衣類を乾かすための温風を生成する加熱器と、
前記循環通路内に設けられ、前記加熱器に比べて空気の流れの下流側に配置されたものであって前記循環通路内を流れる空気が通過可能な通風路を有する通風ケースと、
前記通風ケースに設けられ、冷気を蓄えることが可能な媒体が収納されたものであって前記通風路内を空気が通過する場合に当該空気が接触する包装体と、
前記通風ケースに設けられ、前記包装体内の媒体を冷却する冷却部材と、
前記外箱内に設けられ、水を貯留する貯水部材と、
前記外箱内に設けられ、前記貯水部材から水が供給されるものであって当該水を霧化することで前記循環通路内にミストを放出する霧化装置を備え、
前記包装体内の媒体は、前記通風路内を通過する空気が前記包装体に接触した場合に当該空気を冷却することで当該空気中の水分を凝縮させるものであり、
前記貯水部材は、前記包装体で凝縮した水を貯留するものであることを特徴とするランドリー機器。
【請求項１０】
食品を貯蔵するための貯蔵室を有するキャビネットと、
前記キャビネット内に前記貯蔵室の外部に位置して設けられ、入口および出口を有するものであって当該入口および当該出口のそれぞれが前記貯蔵室に接続された冷気通路と、
前記冷気通路内に設けられ、前記貯蔵室内の空気を前記冷気通路の入口から前記冷気通路内に吸引すると共に前記冷気通路内に吸引した空気を前記冷気通路の出口から前記貯蔵室内に放出するファン装置と、
前記冷気通路内に設けられ、前記冷気通路内を流れる空気を冷却する冷凍サイクルのエバポレータと、
前記冷気通路内に設けられ、前記冷気通路内を流れる空気が通過可能な通風路を有する通風ケースと、
前記通風ケースに設けられ、冷気を蓄えることが可能な媒体が収納されたものであって前記通風路内を空気が通過する場合に当該空気が接触する包装体と、
前記通風ケースに設けられ、前記包装体内の媒体を冷却する冷却部材と、
前記キャビネット内に設けられ、水を貯留する貯水部材と、
前記キャビネット内に設けられ、前記貯水部材から水が供給されるものであって当該水を霧化することで前記冷気通路内にミストを放出する霧化装置を備え、
前記包装体内の媒体は、前記通風路内を通過する空気が前記包装体に接触した場合に当該空気を冷却することで当該空気中の水分を凝縮させるものであり、
前記貯水部材は、前記包装体で凝縮した水を貯留するものであることを特徴とする冷蔵庫。
【発明の詳細な説明】
【技術分野】
【０００１】
実施例は家電機器に関する。
【背景技術】
【０００２】
家電機器にはペルチェ素子を用いて大気中の水分を凝縮させる構成のものがある。
【先行技術文献】
【特許文献】
【０００３】
【特許文献１】特開平０７−２６０１８８号公報
【特許文献２】特開２０００−３２９４４１号公報
【特許文献３】特開２００３−２１４７８１号公報
【発明の概要】
【発明が解決しようとする課題】
【０００４】
上記従来の家電機器の場合にはペルチェ素子での消費電力量を考慮した場合に少量の水しか得ることができない。
【課題を解決するための手段】
【０００５】
実施例の家電機器は、空気が通過可能な通風路を有する通風ケースと、前記通風ケースに設けられ冷気を蓄えることが可能な媒体が収納されたものであって前記通風路内を空気が通過する場合に当該空気が接触する包装体と、前記通風ケースに設けられ前記包装体内の媒体を冷却する冷却部材を備え、前記包装体内の媒体は前記通風路内を通過する空気が前記包装体に接触した場合に当該空気を冷却することで当該空気中の水分を凝縮させるものであるところに特徴を有する。
【図面の簡単な説明】
【０００６】
【図１】実施例１を示す図（冷蔵庫の内部構成を示す断面図）
【図２】ミスト発生ユニットの内部構成を示す断面図
【図３】給水ユニットの内部構成を示す断面図
【図４】実施例２を示す図（洗濯機の内部構成を示す断面図）
【図５】実施例３を示す図（電気掃除機の内部構成を示す断面図）
【図６】実施例４を示す図（図３相当図）
【発明を実施するための形態】
【０００７】
【実施例１】
【０００８】
キャビネット１は、図１に示すように、使用者側である前面が開口するものである。このキャビネット１は外箱の内部に内箱を収納し、外箱および内箱相互間の隙間に断熱材を充填することから構成されたものであり、底壁と左側壁と右側壁と天壁と後壁を有している。このキャビネット１の内部には水平な上仕切壁２および水平な下仕切壁３が固定されている。上仕切壁２は合成樹脂製の板からなるものであり、下仕切壁３は合成樹脂製のケース内に固形状の断熱材を収納することから構成されている。
【０００９】
キャビネット１内には、図１に示すように、冷蔵室４と野菜室５と冷凍室６が形成されている。これら冷蔵室４と野菜室５と冷凍室６のそれぞれは使用者側である前面が開口するものであり、冷蔵室４は上仕切壁２の上方に形成され、野菜室５は上仕切壁２および下仕切壁３相互間に形成され、冷凍室６は下仕切壁３の下方に形成されている。キャビネット１にはＲドア７とＶドア８とＦドア９が装着されている。これらＲドア７〜Ｆドア９のそれぞれは使用者が閉鎖状態および開放状態相互間で操作可能なものであり、Ｒドア７は冷蔵室４の前方に配置され、Ｖドア８は野菜室５の前方に配置され、Ｆドア９は冷凍室６の前方に配置されている。この冷蔵室４は貯蔵室に相当する。
【００１０】
Ｖドア８は、図１に示すように、開放状態で野菜室５の前面を野菜室５内に対して食品を出し入れすることが可能に開放するものであり、Ｒドア７は開放状態で冷蔵室４の前面を冷蔵室４内に対して食品を出し入れすることが可能に開放する。この冷蔵室４はＲドア７およびＶドア８のそれぞれの閉鎖状態で野菜室５に通じるものであり、冷蔵室４および野菜室５のそれぞれはＲドア７およびＶドア８の双方の閉鎖状態で気密状態に閉鎖される。Ｆドア９は開放状態で冷凍室６の前面を冷凍室６内に対して食品を出し入れすることが可能に開放するものであり、Ｆドア９の閉鎖状態では冷凍室６の前面が気密状態に閉鎖される。
【００１１】
キャビネット１内には、図１に示すように、ダクトカバー１０が固定されている。このダクトカバー１０は冷蔵室４および野菜室５の双方の後部に配置されたものであり、キャビネット１の後壁およびダクトカバー１０相互間にはＲ冷気通路１１が形成されている。このＲ冷気通路１１は上下方向へ指向するものであり、１つの入口１２と１つの最終出口１３と複数の中間出口１４を有している。入口１２はＲ冷気通路１１の下端部に形成されたものであり、野菜室５内に配置されている。最終出口１３はＲ冷気通路１１の上端部に形成されたものであり、冷蔵室４内に配置されている。複数の中間出口１４のそれぞれは入口１２および最終出口１３相互間に形成されたものであり、冷蔵室４内に配置されている。このＲ冷気通路１１は冷気通路に相当し、最終出口１３および中間出口１４のそれぞれは出口に相当する。
【００１２】
Ｒ冷気通路１１の入口１２には、図１に示すように、Ｒファン装置１５が固定されている。このＲファン装置１５はＲファンモータの回転軸にＲファンを固定してなるものであり、Ｒドア７およびＶドア８のそれぞれの閉鎖状態でＲファンモータが運転された場合にはＲファンが回転することで冷蔵室４内および野菜室５内のそれぞれの空気がＲ冷気通路１１の入口１２に進入し、Ｒ冷気通路１１の入口１２に進入した空気がＲ冷気通路１１内を上昇する。この空気の一部は複数の中間出口１４のそれぞれから冷蔵室４内に放出され、複数の中間出口１４の全てを通過した空気は最終出口１３から冷蔵室４内に放出される。即ち、Ｒファン装置１５は空気を冷蔵室４内と野菜室５内とＲ冷気通路１１内で循環させるものであり、ファン装置に相当する。
【００１３】
キャビネット１内には、図１に示すように、冷凍室６の後方に位置してＦ冷気通路１６が形成されている。このＦ冷気通路１６は入口１７および出口１８を有するものであり、入口１７および出口１８のそれぞれは冷凍室６内に配置されている。このＦ冷気通路１６内にはＦファン装置１９が固定されている。このＦファン装置１９はＦファンモータの回転軸にＦファンを固定してなるものであり、Ｆドア９の閉鎖状態でＦファンモータが運転された場合にはＦファンが回転することで冷凍室６内の空気がＦ冷気通路１６の入口１７に進入する。この空気はＦ冷気通路１６内を上昇し、Ｆ冷気通路１６の出口１８から冷凍室６内に放出される。即ち、Ｆファン装置１９は空気を冷凍室６内およびＦ冷気通路１６内で循環させるものである。
【００１４】
キャビネット１には、図１に示すように、機械室２０が形成されている。この機械室２０はキャビネット１の外部に通じるものであり、機械室２０内には冷凍サイクルのコンプレッサ２１が固定されている。このコンプレッサ２１はコンプモータを駆動源とするものであり、冷媒を吐出する吐出口および冷媒を吸込む吸込口を有している。このコンプレッサ２１の吐出口には冷凍サイクルのコンデンサを介してＲエバポレータ２２およびＦエバポレータ２３が接続されている。これらＲエバポレータ２２およびＦエバポレータ２３のそれぞれはコンプモータが運転されている場合にコンプレッサの吐出口からコンデンサを通して冷媒が供給されるものであり、Ｒエバポレータ２２を通過した冷媒およびＦエバポレータ２３を通過した冷媒のそれぞれはコンプレッサ２１の吸込口に戻る。このＲエバポレータ２２はエバポレータに相当する。
【００１５】
Ｒエバポレータ２２は、図１に示すように、Ｒ冷気通路１１内に固定されたものである。このＲエバポレータ２２はＲファン装置１５の運転状態で空気が供給されるものであり、Ｒファン装置１５の運転状態でコンプレッサ２１からコンデンサを通して冷媒が供給されている場合には空気から熱を奪うことでＲ冷気通路１１の最終出口１３および中間出口１４のそれぞれから放出される空気を冷風化する。Ｆエバポレータ２３はＦ冷気通路１６内に固定されたものである。このＦエバポレータ２３はＦファン装置１９の運転状態で空気が供給されるものであり、Ｆファン装置１９の運転状態でコンプレッサ２１からコンデンサを通して冷媒が供給されている場合には空気から熱を奪うことでＦ冷気通路１６の出口１８から放出される空気を冷風化する。
【００１６】
Ｒ冷気通路１１内には、図１に示すように、水受け皿２４が固定されている。この水受け皿２４は上面が開口するものであり、Ｒエバポレータ２２の下方に配置されている。このＲエバポレータ２２はＲファン装置１５の運転状態でコンプレッサ２１からＲエバポレータ２２に冷媒が供給されているＲ冷却運転中に霜が付着し、Ｒファン装置１５の運転状態でコンプレッサ２１からＲエバポレータ２２に冷媒が供給されていないＲ除霜運転中に霜が溶けて水となるものであり、水受け皿２２はＲ除霜運転中にＲエバポレータ２２から落下する水を受ける。
【００１７】
Ｒ冷気通路１１内には、図１に示すように、ミスト発生ユニット３０が固定されている。このミスト発生ユニット３０は水を電気分解することで過酸化水素を含む水を生成し、過酸化水素を含む水を霧化することで徐菌能力および脱臭能力のそれぞれを有するミストを生成するものであり、次のように構成されている。
【００１８】
Ｒ冷気通路１１内には、図２に示すように、Ｒエバポレータ２２の下方に位置してタンク３１が固定されている。このタンク３１は中空な箱状をなすものであり、貯水部材に相当する。このタンク３１には注水口３２が固定されている。この注水口３２は両端部のそれぞれが開口する筒状をなすものであり、タンク３１内には注水口３２を通して水が注入される。このタンク３１は水を貯留するものであり、タンク３１には溢水口３３が固定されている。この溢水口３３は両端部のそれぞれが開口する筒状をなすものであり、タンク３１の水面が溢水口３３に到達した場合にはタンク３１内から溢水口３３を通して水が溢れる。このタンク３１は水受け皿２４の上方に配置されたものであり、溢水口３３から溢れた水は水受け皿２４内に落下することで水受け皿２４内に貯留される。即ち、溢水口３３はタンク３１の満杯の水面の高さ（二点鎖線参照）を決めるものである。
【００１９】
タンク３１内には、図２に示すように、陽極３４および陰極３５が固定されている。これら陽極３４および陰極３５は隙間を介して相互に対向するものであり、タンク３１の満杯の水面に比べて低所に配置されている。これら陽極３４および陰極３５のそれぞれには給電棒３６が接続されており、両給電棒３６のそれぞれは電源回路に接続されている。この電源回路は商用交流電源を高圧の直流電源に変換するものであり、陽極３４は給電棒３６を介して電源回路のプラス端子に接続され、陰極３５は給電棒３６を介して電源回路のマイナス端子に接続されている。これら陽極３４および陰極３５は電源回路から高電圧が印加されることでタンク３１内の水を電気分解するものであり、陰極３５ではタンク３１内の水が電気分解されることで過酸化水素が発生する。
【００２０】
タンク３１内には、図２に示すように、陽極３４および陰極３５相互間に位置して吸上げ棒３７が固定されている。この吸上げ棒３７は上下方向へ指向する柱状をなすものであり、吸上げ棒３７の上端部はタンク３１から上方に突出し、吸上げ棒３７のうち上端部を除く残余部はタンク３１内に配置されている。この吸上げ棒３７は繊維を編むことなく絡みあわせることで成形された多孔質なものであり、タンク３１内の過酸化水素を含む水を毛細管現象で下から上へ吸い上げる。
【００２１】
タンク３１には、図２に示すように、カバー３８が固定されている。このカバー３８はタンク３１との間に空間状のミスト生成室３９を形成するものであり、ミスト生成室３９内には水平な振動板４０が固定されている。この振動板４０は吸上げ棒３７の上端面に接触するものであり、タンク３１内の過酸化水素を含む水は吸上げ棒３７の上端面から振動板４０に供給される。この振動板４０は圧電素子を有するものであり、電源回路から電源が供給されることで２０ｋ〜１０ＭＨｚの固有の周波数で振動する。この振動板４０には複数の細孔が形成されている。これら複数の細孔のそれぞれは振動板４０を上下方向に貫通するものであり、振動板４０が固有の周波数で振動した場合には吸上げ棒３７からの水が複数の細孔のそれぞれを通して下から上へ放出されることで過酸化水素を含むミストが生成される。即ち、カバー３８とミスト生成室３９と振動板４０は超音波霧化装置を構成するものであり、超音波霧化装置は霧化装置に相当する。
【００２２】
カバー３８には、図２に示すように、ミスト放出口４１が形成されている。このミスト放出口４１はカバー３８を上下方向へ貫通するものであり、吸上げ棒３７の上方に配置されている。このミスト放出口４１は振動板４０の上方へ放出されたミストが通過するものであり、電源回路から陽極３４と陰極３５と振動板４０のそれぞれに電源が供給されているミスト発生ユニット３０の電気的なオン状態でＲファン装置１５が運転されている場合にはミスト放出口４１から放出されたミストがＲ冷気通路１１内を上昇する風に乗って搬送される。このミストはＲ冷気通路１１の最終出口１３および中間出口１４のそれぞれから冷蔵室４内に供給されるものであり、冷蔵室４内にミストが供給された場合には冷蔵室４内および野菜室５内のそれぞれが過酸化水素の酸化力で徐菌および脱臭される。ミスト発生ユニット３０は以上のように構成されている。
【００２３】
Ｒ冷気通路１１内には、図１に示すように、給水ユニット５０が固定されている。この給水ユニット５０はミスト発生ユニット３０に比べて高所に配置されたものであり、水を落下させることでミスト発生ユニット３０のタンク３１内に電気分解用として注入する。この給水ユニット５０は次のように構成されている。
【００２４】
Ｒ冷気通路１１内には、図３に示すように、合成樹脂製のケース５１が固定されている。このケース５１は前板と後板と天板と底板と左側板と右側板を有する中空な箱状をなすものであり、通風ケースに相当する。このケース５１の後板には貫通孔状の窓部５２が形成されており、窓部５２内には冷却部材に相当するペルチェ素子５３が固定されている。このペルチェ素子５３は直流電源が印加されることで熱を吸収する平坦な吸熱面５４および熱を放出する平坦な放熱面５５を有するものであり、ペルチェ素子５３の吸熱面５４は前に向けて指向し、ペルチェ素子５３の放熱面５５は後に向けて指向している。
【００２５】
ペルチェ素子５３の吸熱面５４には、図３に示すように、アルミニウム製の冷却板５６が固定されている。この冷却板５６は前後方向から見た場合の面積が吸熱面５４に比べて小さく設定されたものであり、冷却板５６の後面は吸熱面５４の中央部で吸熱面５４に面接触している。このペルチェ素子５３の放熱面５５にはフィンベース５７が固定されている。このフィンベース５７はアルミニウムを材料に成形されたものであり、放熱面５５に面接触する板状をなしている。このフィンベース５７はＲ冷気通路１１内に配置されたものであり、フィンベース５７には複数の放熱フィン５８が固定されている。これら複数の放熱フィン５８のそれぞれはＲ冷気通路１１内でフィンベース５７から突出するものであり、左右方向に配列されている。これら複数の放熱フィン５８のそれぞれは隣接する放熱フィン５８に隙間を介して対向するものであり、Ｒファン装置１５の運転状態では放熱フィン５８相互間の隙間を風が通過する。これら複数の放熱フィン５８のそれぞれはアルミニウムを材料に成形されたものであり、ペルチェ素子５３の放熱面５５はフィンベース５７から複数の放熱フィン５８のそれぞれを通してＲ冷気通路１１内に熱を放出する。
【００２６】
ケース５１内には、図３に示すように、固形状の断熱材５９が固定されている。この断熱材５９はケース５１の材料に比べて高い断熱性能を有する合成樹脂からなるものであり、断熱材５９には空間状の蓄冷剤収納室６０が形成されている。この蓄冷剤収納室６０内には合成樹脂製の蓄冷剤容器６１が収納されている。この蓄冷剤容器６１は固形状をなすものであり、包装体に相当する。この蓄冷剤容器６１の後面は冷却板５６に面接触するものであり、蓄冷剤容器６１の後面の面積はペルチェ素子５３の吸熱面５４の面積に比べて小さく設定されている。
【００２７】
蓄冷剤容器６１内には媒体に相当する蓄冷剤が充填されている。この蓄冷剤は約９９％の水に高吸水性樹脂（ポリアクリル酸ナトリウム）と防腐剤と形状安定剤を含ませることで組成されたものであり、蓄冷剤の融点は０℃〜−３℃の温度帯に設定されている。この蓄冷剤は蓄冷剤容器６１および冷却板５６を介してペルチェ素子５３の吸熱面５４に接触するものであり、ペルチェ素子５３に直流電源が印加されたペルチェ素子５３の電気的なオン状態ではペルチェ素子５３の吸熱面５４から放熱面５５とフィンベース５７と放熱フィン５８のそれぞれを順に通してＲ冷気通路１１内に熱が放出されることで冷却されて固相となる。
【００２８】
断熱材５９には、図３に示すように、通風路６２が形成されている。この通風路６２は上下方向へ指向する通路からなるものであり、通風路６２の上面および下面のそれぞれは開口している。この通風路６２は蓄冷剤収納室６０内に通じるものであり、蓄冷剤容器６１は通風路６２内に露出している。この蓄冷剤容器６１のうち通風路６２内に露出する面を結露面６３と称する。
【００２９】
ケース５１の左側板には給気口６４が固定されている。この給気口６４は左右方向へ指向する筒状をなすものであり、給気口６４の右面は通風路６２内に蓄冷剤容器６１の結露面６３より低所で接続されている。ケース５１の天板には排気口６５が形成されている。この排気口６５は貫通孔からなる、通風路６２の上面に接続されている。これら排気口６５および給気口６４は通風路６２内に風を流すためのものであり、Ｒ冷却運転中および除霜運転中のそれぞれにはＲ冷気通路１１内を下から上へ流れる空気が給気口６４から通風路６２内に進入し、通風路６２内に進入した空気が通風路６２に沿って下から上へ流れる。この通風路６２に沿って下から上へ流れる空気は蓄冷剤容器６１の結露面６３に接触し、排気口６５からＲ冷気通路１１内に戻される。
【００３０】
ペルチェ素子５３は除霜運転が開始された場合に電気的なオフ状態からオン状態に切換えられるものであり、ペルチェ素子５３のオン状態ではペルチェ素子５３の吸熱面５４が蓄冷剤容器６１内の蓄冷剤から熱を吸収することで蓄冷剤容器６０内の蓄冷剤が冷却されて固相となる。このペルチェ素子５３のオン状態で除霜運転が行われている場合には冷蔵室４内および野菜室５内のそれぞれの空気が蓄冷剤容器６１の結露面６３に接触する。この空気はＲ冷却運転中の空気に比べて温度が高く、冷蔵室４内および野菜室５内のそれぞれの野菜等の食品からの水分を含んでおり、蓄冷剤容器６１の結露面６３に接触することで水分が凝縮し、結露面６３で結露する。
【００３１】
ペルチェ素子５３はオフ状態からオン状態に切換えられたことを基準に予め決められた一定時間が経過した場合にオン状態からオフ状態に切換えられるものであり、ペルチェ素子５３がオン状態からオフ状態に切換えられてから蓄冷剤容器６１内の蓄冷剤が固相から液相に相転移する前までの蓄冷期間内には蓄冷剤容器６１内の蓄冷剤が冷蔵室４内および野菜室５内のそれぞれの空気を結露させることが可能に冷却された状態にある。この蓄冷剤の蓄冷期間内に除霜運転が行われている場合には冷蔵室４内および野菜室５内のそれぞれの空気が蓄冷剤容器６１の結露面６３に接触することで結露する。
【００３２】
ケース５１の底板には、図３に示すように、排水口６６が固定されている。この排水口６６は上下方向へ指向する筒状をなすものであり、排水口６６の上面は通風路６２の下面に接続されている。この排水口６６の下面はミスト発生ユニット３０の注水口３２に接続されており、蓄冷剤容器６１の結露面６３で結露した水は通風路６２内を落下することで排水口６６内に進入する。この排水口６６内に進入した水は排水口６６に沿って落下することでミスト発生ユニット３０の注水口３２からタンク３１内に注入され、タンク３１内に電気分解用の水として貯留される。
【００３３】
上記実施例１によれば次の効果を奏する。
ペルチェ素子５３のオン状態では蓄冷剤容器６１内の蓄冷剤からペルチェ素子５３の吸熱面５４および放熱面５５のそれぞれを通してＲ冷気通路１１内に熱を放出することで蓄冷剤容器６１内の蓄冷剤を固相としたので、ケース５１の通風路６２内を通過する空気が蓄冷剤容器６１の結露面６３に接触した場合に結露面６３で空気中の水分が凝縮するようになる。しかも、ペルチェ素子５１がオン状態からオフ状態に切換えられた後から相転移する前までの蓄冷期間内には蓄冷剤容器６１内の蓄冷剤が固相に維持されるので、ケース５１の通風路６２内を通過する空気が蓄冷剤容器６１の結露面６３に接触した場合に結露面６３で空気中の水分が凝縮する。このため、ペルチェ素子５３の時間的に短いオン状態で多量の水が蓄冷剤容器６１の結露面６３で生成され、結露面６３からミスト生成ユニット３０のタンク３１内に多量の水が注入されるので、少ない消費電力量で多量のミストを冷蔵室４内に放出できる。
【００３４】
ケース５１内に断熱材５９を設けたので、ケース５１の外部から蓄冷剤容器６１を通して蓄冷剤容器６１内の蓄冷剤に熱が伝わることが抑えられる。このため、ペルチェ素子５１がオン状態からオフ状態に切換えられた後から相転移する前までの蓄冷期間が長くなるので、蓄冷剤容器６１の結露面６３からミスト生成ユニット３０のタンク３１内に注入される水の量が増える。
【００３５】
蓄冷剤容器６１のうちペルチェ素子５３の吸熱面５４の側の後面の面積をペルチェ素子５３の吸熱面５４に比べて小さく設定した。このため、蓄冷剤容器６１内の蓄冷剤からペルチェ素子５３の吸熱面５４および放熱面５５のそれぞれを通して熱が効率的に吸収される。しかも、蓄冷剤容器６１内の蓄冷剤が温度差で対流するので、蓄冷剤の全体が固化するようになる。
【実施例２】
【００３６】
外箱７１は、図４に示すように、前板と後板と左側板と右側板と天板と底板を有する中空なものであり、外箱７１の前板には貫通孔状の出入口７２が形成されている。この外箱７１の前板には蓋７３が装着されている。この蓋７３は閉鎖状態および開放状態相互間で使用者が操作することが可能なものであり、出入口７２は蓋７３の閉鎖状態で閉鎖され、蓋７３の開放状態で開放される。この外箱７１内には円筒状の水受槽７４が固定されている。この水受槽７４は衣類を洗濯するための水を受けるものであり、水受槽７４の前面は開放され、水受槽７４の後面は槽底板７５で閉鎖されている。この水受槽７４は槽に相当する。
【００３７】
水受槽７４には、図４に示すように、排水管７６が固定されている。この排水管７６は入口および出口を有するものであり、排水管７６の入口は水受槽７４の最底部に接続され、排水管７６の出口は外箱７１の外部に接続されている。この排水管７６には排水弁７７が介在されている。この排水弁７７はモータを駆動源とするものであり、モータの回転量に応じて閉鎖状態および開放状態相互間で切換えられる。この排水弁７７は閉鎖状態となることで水受槽７４内から水が排出されることを不能にするものであり、開放状態となることで水受槽７４内から排水管７６を通して水が排出されることを可能にする。
【００３８】
外箱７１内には、図４に示すように、給水弁７８が固定されている。この給水弁７８は入口および出口を有するものであり、給水弁７８の入口は水道の蛇口に接続され、給水弁７８の出口は水受槽７４に接続されている。この給水弁７８は電磁ソレノイドを駆動源とするものであり、電磁ソレノイドの電気的なオフ状態で閉鎖状態となることで水道の蛇口から水受槽７４内に水道水が注入されることを不能にし、電磁ソレノイドの電気的なオン状態で開放状態となることで水道の蛇口から給水弁７８を通して水受槽７４内に水道水が注入されることを可能にする。即ち、水受槽７４は排水弁７７の閉鎖状態で給水弁７８が開放状態となることで水道水が貯留されるものであり、水受槽７４内の水道水は排水弁７７が開放状態となることで排水管７６から排出される。
【００３９】
水受槽７４の槽底板７５には、図４に示すように、洗濯モータ７９が固定されており、洗濯モータ７９の回転軸８０は水受槽７４内に挿入されている。この水受槽７４内には円筒状のドラム８１が収納されている。このドラム８１は洗濯モータ７９の回転軸８０に固定されたものであり、ドラム８１の後面は閉鎖され、ドラム８１の前面は開放されている。このドラム８１には複数の貫通孔８２が形成されており、水道水は水受槽７４内およびドラム８１内相互間で複数の貫通孔８２のそれぞれを通して流通可能にされている。このドラム８１は蓋７３の開放状態で外箱７１の出入口７２と水受槽７４の前面とドラム８１の前面のそれぞれを通して衣類が出し入れされるものであり、ドラム８１の内周面には複数のバッフル８３が固定されている。
【００４０】
外箱７１の底板には、図４に示すように、メインダクト８４が固定されている。このメインダクト８４は前後方向へ指向する筒状をなすものであり、メインダクト８４の後面は開口している。このメインダクト８４の前端部には筒状の入口８５が固定されており、メインダクト８４の入口８５は前ダクト８６を介して水受槽７４内に接続されている。このメインダクト８４の後端部にはファンケーシング８７が固定されている。このファンケーシング８７は貫通孔状の入口８８および筒状の出口８９を有するものであり、ファンケーシング８７の入口８８はメインダクト８４内に接続され、ファンケーシング８７の出口８９は後ダクト９０を介して水受槽７４内に接続されている。
【００４１】
ファンケーシング８７には、図４に示すように、ファンモータ９１が固定されている。このファンモータ９１の回転軸にはファンケーシング８７内に位置してファン９２が固定されており、ファンモータ９１の運転状態ではファン９２が回転することで水受槽７４内の空気が前ダクト８６とメインダクト８４とファンケーシング８７と後ダクト９０のそれぞれを順に通って水受槽７４内に戻される。即ち、前ダクト８６とメインダクト８４とファンケーシング８７と後ダクト９０は水受槽７４内の空気を水受槽７４の外部を通して水受槽７４内に戻す空気の循環通路を構成するものであり、ファンモータ９１およびファン９２は循環通路に沿って空気を流すファン装置に相当する。
【００４２】
外箱１の底板には、図４に示すように、冷凍サイクルのコンプレッサ９３が固定されている。このコンプレッサ９３はコンプモータを駆動源とするものであり、冷媒を吐出する吐出口および冷媒を吸込む吸込口を有している。このコンプレッサ９３の吐出口および吸込口相互間にはコンデンサ９４とエバポレータ９５が接続されており、コンプモータの運転状態ではコンプレッサ９３の吐出口から吐出された冷媒がコンデンサ９４およびエバポレータ９５のそれぞれを順に通ってコンプレッサ９３の吸込口に戻る。このコンデンサ９４は加熱器に相当し、エバポレータ９５は冷却器に相当する。
【００４３】
コンデンサ９４は、図４に示すように、メインダクト８４内に固定され、エバポレータ９５はメインダクト８４内にコンデンサ９４の前方に位置して固定されたものであり、ファンモータ９１およびコンプモータのそれぞれの運転状態では水受槽７４内の空気がエバポレータ９５に接触することで冷風化され、冷風がコンデンサ９４に接触することで温風化される。即ち、ドラム８１内に水分を含んだ未乾燥の衣類が投入されている場合にはエバポレータ９５が高温度で高湿度の空気を低温度で高湿度の空気に変換し、コンデンサ９４が低温度で高湿度の空気を高温度で低湿度の空気に変換し、水受槽７４内に低湿度で高温度の空気が注入されることでドラム８１内の衣類の乾燥が促進される。
【００４４】
外箱１の前板には、図４に示すように、操作パネル９６が固定されており、操作パネル９６にはスタートスイッチが装着されている。このスタートスイッチは使用者が操作することが可能なものであり、スタートスイッチが操作された場合には標準コースが開始される。この標準コースは洗濯工程とすすぎ行程と脱水行程と乾燥工程を順に行うものである。洗濯工程は水受槽７４内に水を貯留した状態でドラム８１を回転操作することでドラム８１内の衣類を水で洗う工程であり、水受槽７４内に洗剤が投入された状態で行われる。すすぎ工程は水受槽７４内に水を貯留した状態でドラム８１を回転操作することでドラム８１内の衣類を水ですすぐ工程であり、脱水工程はドラム８１を回転操作することでドラム８１内の衣類から水分を遠心力で排出する工程であり、乾燥工程はファンモータ９１およびコンプモータのそれぞれを運転状態とすることでドラム８１内の衣類を温風で乾かす工程である。
【００４５】
外箱１内には、図４に示すように、ミスト発生ユニット３０が固定されている。このミスト発生ユニット３０は空気の循環経路の外部に配置されたものであり、ミスト発生ユニット３０のカバー３８にはミスト放出パイプ９７が固定されている。このミスト放出パイプ９７は上下方向へ指向するものであり、ミスト放出パイプ９７の下面はミスト発生ユニット３０のミスト放出口４１に接続され、ミスト放出パイプ９７の上面は後ダクト９０内に接続されている。このミスト発生ユニット３０は乾燥工程でオン状態にされることでミスト放出口４１からミスト放出パイプ９７を通して後ダクト９０内にミストを放出するものであり、ミスト発生ユニット３０から後ダクト９０内に放出されたミストは衣類を乾燥するための温風に乗って水受槽７４内からドラム８１内の衣類に供給されることでドラム８１内の衣類を除菌および脱臭する。
【００４６】
後ダクト９０内には、図４に示すように、給水ユニット５０が固定されている。この給水ユニット５０はコンデンサ９４に比べて空気の流れの下流側に配置されたものであり、乾燥工程で後ダクト９０内を上昇する温風は給水ユニット５０の給気口６４から通風路６２内に進入し、通風路６２内に進入した温風は通風路６２に沿って上昇することで排気口６５から後ダクト９０内に戻る。この温風は通風路６２に沿って上昇するときに蓄冷剤容器６１の結露面６３に接触する。
【００４７】
給水ユニット５０のペルチェ素子５３は乾燥工程が開始された場合に電気的なオフ状態からオン状態に切換えられるものであり、ペルチェ素子５３のオン状態で乾燥工程が行われている場合には蓄冷剤容器６１内の蓄冷剤からペルチェ素子５３の吸熱面５４と放熱面５５とフィンベース５７と放熱フィン５８のそれぞれを順に通して後ダクト９０内に熱が放出されることで蓄冷剤容器６１内の蓄冷剤が固相となり、後ダクト９０内の温風が蓄冷剤容器６１の結露面６３に接触することで結露する。ペルチェ素子５３はオフ状態からオン状態に切換えられたことを基準に予め決められた一定時間が経過した場合にオン状態からオフ状態に切換えられるものであり、蓄冷剤容器６１内の蓄冷剤はペルチェ素子５３がオン状態からオフ状態に切換えられた後から液相に相転移する前までの蓄冷期間内には固相にある。この蓄冷期間内に乾燥工程が行われている場合には温風が蓄冷剤容器６１の結露面６３に接触することで結露する。
【００４８】
給水ユニット５０の排水口６６は、図４に示すように、後ダクト９０を貫通してミスト発生ユニット３０の注水口３２に接続されており、給水ユニット５０の蓄冷剤容器６１の結露面６３で温風が結露することで結露面６３に水が付着した場合には水が給水ユニット５０の排水口６６からミスト発生ユニット３０の注水口３２を通してタンク３１内に注入され、タンク３１内に電気分解用の水として貯留される。
【実施例３】
【００４９】
掃除機ケース１０１は、図５に示すように、前端部にホースが接続されたものであり、ホースにはブラシが接続されている。この掃除機ケース１０１は中空なものであり、掃除機ケース１０１内には第１仕切板１０２と第２仕切板１０３と第３仕切板１０４が固定されている。これら第１仕切板１０２〜第３仕切板１０４のそれぞれは前後方向に相互に間隔を置いて平行に配列されたものであり、第１仕切板１０２および第２仕切板１０３相互間には第１フィルタ１０５が固定され、第２仕切板１０３および第３仕切板１０４相互間には第２フィルタ１０６が固定されている。第１フィルタ１０５は粉塵を捕捉するものであり、第１仕切板１０２および第１フィルタ１０５相互間には集塵室１０７が形成され、第１フィルタ１０５および第２仕切板１０３相互間には第１吸気室１０８が形成されている。第２フィルタ１０６は第１フィルタ１０５に比べて小さな粉塵を捕捉するものであり、第２仕切板１０３および第２フィルタ１０６相互間には第２吸気室１０９が形成され、第２フィルタ１０６および第３仕切板１０４相互間には第３吸気室１１０が形成されている。これら第２フィルタ１０６および第１フィルタ１０５のそれぞれはフィルタに相当する。
【００５０】
掃除機ケース１０１内には、図５に示すように、第３仕切板１０４の後方に位置して第４仕切板１１１が固定されている。この第４仕切板１１１は第１仕切板１０２〜第３仕切板１０４のそれぞれに対して平行な縦下板部１１２と縦下板部１１２の上端部から前方へ突出する横板部１１３と横板部１１３の前端部から上方へ突出する縦上板部１１４を有するものであり、第２フィルタ１０６は第４仕切板１１１の横板部１１３および掃除機ケース１０１相互間に介在されている。この第４仕切板１１１および第３仕切板１０４相互間には第４吸気室１１５が形成され、第４仕切板１１１および第４仕切板１１１の後方の掃除機ケース１０１相互間には機械室１１６が形成されている。この機械室１１６内には送風機１１７が固定されている。この送風機１１７はモータの回転軸にファンを固定してなるものであり、掃除機ケース１０１には送風機１１７の後方に位置して複数の貫通孔からなる排気口１１８が形成されている。
【００５１】
第１仕切板１０２には、図５に示すように、第１開閉弁１１９が固定され、第２仕切板１０３には第２開閉弁１２０が固定され、第３仕切板１０４には第３開閉弁１２１が固定されている。これら第１開閉弁１１９〜第３開閉弁１２１のそれぞれは電磁ソレノイドを駆動源とする電磁弁からなるものであり、電磁ソレノイドの電気的なオフ状態で閉鎖状態となり、電磁ソレノイドの電気的なオン状態で開放状態となる。
【００５２】
集塵室１０７および第２吸気室１０９相互間は、図５に示すように、第１通風路１２２を介して接続されており、第１通風路１２２には第４開閉弁１２３が介在されている。この第４開閉弁１２３は電磁ソレノイドを駆動源とする電磁弁からなるものであり、電磁ソレノイドの電気的なオフ状態で閉鎖状態となり、電磁ソレノイドの電気的なオン状態で開放状態となる。第１吸気室１０８および第４吸気室１１５相互間は第２通風路１２４を介して接続されており、第２通風路１２４には第５開閉弁１２５が介在されている。この第５開閉弁１２５は電磁ソレノイドを駆動源とする電磁弁からなるものであり、電磁ソレノイドの電気的なオフ状態で閉鎖状態となり、電磁ソレノイドの電気的なオン状態で開放状態となる。
【００５３】
掃除機ケース１０１内には、図５に示すように、第３通風路１２６が形成されている。この第３通風路１２６は第４仕切板１１１の横板部１１３の上方の空間を称するものであり、第４仕切板１１１の縦上板部１１４には第３通風路１２６内に位置して第６開閉弁１２７が固定されている。この第６開閉弁１２７は電磁ソレノイドを駆動源とする電磁弁からなるものであり、電磁ソレノイドの電気的なオフ状態で閉鎖状態となり、電磁ソレノイドの電気的なオン状態で開放状態となる。
【００５４】
掃除機ケース１０１のホースには操作パネルが固定されており、操作パネルにはスタートスイッチおよび停止スイッチが装着されている。これらスタートスイッチおよび停止スイッチのそれぞれは使用者が操作可能なものであり、使用者がスタートスイッチを操作した場合には掃除モードとなる。この掃除モードが開始された場合には第４開閉弁１２３と第５開閉弁１２５と第６開閉弁１２７のそれぞれの閉鎖状態で第１開閉弁１１９と第２開閉弁１２０と第３開閉弁１２１のそれぞれが電気的なオフ状態からオン状態に切換えられることで開放状態となり、送風機１１７のモータが運転停止状態から運転状態に切換えられる。この送風機１１７のモータの運転状態では送風機１１７のファンが回転することで室内の空気がブラシおよびホースのそれぞれを順に通って集塵室１０７内に進入し、集塵室１０７内から第１吸気室１０８内と第２吸気室１０９内と第３吸気室１１０内と第４吸気室１１５内のそれぞれを順に通って機械室１１６内に進入し、機械室１１６内から排気口１１８を通して室内に放出される。この空気の経路は第１の経路に相当する。
【００５５】
使用者が掃除モードで停止スイッチを操作した場合には除塵モードとなる。この除塵モードが開始された場合には第１開閉弁１１９と第２開閉弁１２０と第３開閉弁１２１のそれぞれがオン状態からオフ状態に切換えられることで閉鎖状態となり、第４開閉弁１２３と第５開閉弁１２５と第６開閉弁１２７のそれぞれがオフ状態からオン状態に切換えられることで開放状態となる。この除塵モードでは送風機１１７のモータが掃除モードから継続的に運転状態にされており、機械室１１６内の空気が「第３通風路１２６→第２吸気室１０９→第１通風路１２２→集塵室１０７→第１吸気室１０８→第２通風路１２４→第４吸気室１１５→送風機１１７→機械室１１６」の経路で掃除機ケース１０１内を循環する。この空気の経路は第２の経路に相当するものであり、第１開閉弁１１９と第２開閉弁１２０と第３開閉弁１２１と第４開閉弁１２３と第５開閉弁１２５と第６開閉弁１２７は第１の経路および第２の経路のうちから経路を選択する経路選択機構に相当する。
【００５６】
除塵モードでの空気の流れは送風機１１７が第１開閉弁１１９〜第３開閉弁１２１のそれぞれの閉鎖状態で運転状態にされていることで発生する圧力差に起因するものであり、除塵モードでは空気が機械室１１６内から第３通風路１２６内に進入することで下から上に向けて上昇する空気の流れが発生する。この除塵モードは除塵モードが開始されたことを基準に予め決められた一定時間が経過した場合に終了するものであり、除塵モードが終了した場合には第４開閉弁１２３と第５開閉弁１２５と第６開閉弁１２７のそれぞれがオン状態からオフ状態に切換えられることで閉鎖状態となり、送風機１１７のモータが運転停止状態にされる。
【００５７】
掃除機ケース１０１の機械室１１６内には、図５に示すように、ミスト発生ユニット３０が固定されている。このミスト発生ユニットは除塵モードが開始された場合にオン状態となり、除塵モードが終了した場合にオフ状態となるものであり、除塵モードではミスト発生ユニット３０のミスト放出口４１から機械室１１６内にミストが放出される。このミストは機械室１１６内の風に乗って掃除機ケース１０１内を循環することで第１フィルタ１０５および第２フィルタ１０６のそれぞれに付着し、第１フィルタ１０５および第２フィルタ１０６のそれぞれを除菌および脱臭する。
【００５８】
掃除機ケース１０１の機械室１１６内には、図５に示すように、給水ユニット５０が固定されており、除塵モード中には機械室１１６内を上昇する風が給水ユニット５０の給気口６４から通風路６２内に進入する。この通風路６２内に進入した風は通風路６２に沿って上昇することで排気口６５から機械室１１６内に放出されるものであり、通風路６２に沿って上昇するときに蓄冷剤容器６１の結露面６３に接触する。
【００５９】
給水ユニット５０のペルチェ素子５３は除塵モードが開始された場合にオフ状態からオン状態に切換えられるものであり、除塵モードでペルチェ素子５３がオン状態にされている場合には蓄冷剤容器６１内の蓄冷剤からペルチェ素子５３の吸熱面５４と放熱面５５とフィンベース５７と放熱フィン５８のそれぞれを順に通して熱が放出されることで蓄冷剤容器６１内の蓄冷剤が固相となり、機械室１１６内の風が蓄冷剤容器６１の結露面６３に接触することで結露する。
【００６０】
ペルチェ素子５３は除塵モードが開始されたことを基準に予め決められた一定時間が経過した場合にオン状態からオフ状態に切換えられるものである。この一定時間は除塵モードが開始されてから終了するまでの所要時間に比べて短く設定されており、蓄冷剤容器６１内の蓄冷剤はペルチェ素子５３がオン状態からオフ状態に切換えられた後から液相に相転移する前までの蓄冷期間内に固相となる。この蓄冷期間内に除塵モードが継続している場合には機械室１１６内の風が蓄冷剤容器６１の結露面６３に接触することで結露する。
【００６１】
給水ユニット５０はミスト発生ユニット３０に比べて高所に配置されたものである。この給水ユニット５０の排水口６６はミスト発生ユニット３０の注水口３２に接続されており、給水ユニット５０の蓄冷剤容器６１の結露面６３で結露した水は給水ユニット５０の排水口６６からミスト発生ユニット３０の注水口３２を通してタンク３１内に注入され、タンク３１内に電気分解用の水として貯留される。
【実施例４】
【００６２】
給水ユニット５０のペルチェ素子５３の吸熱面５４には、図６に示すように、上下方向の上端部に位置して冷却板５６が固定されている。この冷却板５６には蓄冷剤容器６１が接触しており、ペルチェ素子５３のオン状態で通風路６２内に下から上に向けて低温となる温度勾配が生成されるので、空気の流れが円滑になる。
【００６３】
上記実施例１〜４のそれぞれにおいては、超音波霧化装置に換えて静電霧化装置を用いても良い。この静電霧化装置は保水部材および放電電極を有するものである。保水部材は合成樹脂製の繊維を編むことなく絡みあわせたフェルトからなるものであり、給水ユニット５０から落下する水を保水する。放電電極は合成樹脂製の繊維およびカーボン繊維を相互に撚り合せて棒状に成形したものであり、導電性を有している。この放電電極は保水部材から水を吸い上げて保水するものであり、電源回路から保水部材を通して負の高電圧が印加されることで負に帯電し、負に帯電することでミストを発生する。この静電霧化装置の場合には保水部材が水を貯留する貯水部材に相当する。
【００６４】
上記実施例１〜４のそれぞれにおいては、給水ユニット５０の通風路６２内に風を強制的に循環させる専用のファン装置を設けても良い。
上記実施例１〜４のそれぞれにおいては、冷蔵庫と洗濯機と電気掃除機以外の家電機器に本発明を適用しても良い。
【００６５】
本発明のいくつかの実施例を説明したが、これらの実施例は例として提示したものであり、発明の範囲を限定することは意図していない。これら新規な実施例はその他の様々な形態で実施されることが可能であり、発明の要旨を逸脱しない範囲で種々の省略、置き換え、変更を行うことができる。これら実施例やその変形は発明の範囲や要旨に含まれると共に特許請求の範囲に記載された発明とその均等の範囲に含まれる。
【符号の説明】
【００６６】
１はキャビネット、４は冷蔵室（貯蔵室）、１１はＲ冷気通路（冷気通路）、１２は入口、１３は最終出口（出口）、１４は中間出口（出口）、１５はＲファン装置（ファン装置）、２２はＲエバポレータ（エバポレータ）、３１はタンク（貯水部材）、５１はケース（通風ケース）、５３はペルチェ素子（冷却部材）、５４は吸熱面、５５は放熱面、５９は断熱材、６１は蓄冷剤容器（包装体）、６２は通風路、７１は外箱、７４は水受槽（槽）、９４はコンデンサ（加熱器）、９５はエバポレータ（冷却器）、１０１は掃除機ケース、１０５は第１フィルタ（フィルタ）、１０６は第２フィルタ（フィルタ）、１１７は送風機である。
【図１】
2012202615.tif 000003
【図２】
2012202615.tif 000004
【図３】
2012202615.tif 000005
【図４】
2012202615.tif 000006
【図５】
2012202615.tif 000007
【図６】
2012202615.tif 000008